(57)【要約】【課題】爪に転写するネイルアート画を自由に選択でき、簡単な操作で実際の爪や付け爪にネイルアート画を転写することができるネイルスタンプ玩具を提供すること。【解決手段】基台１には、指先若しくは付け爪を載置する載置部８と、ネイルアート画が刻印されるとともに回動可能に配置された回転盤３と、ネイルスタンプ５を着脱可能に保持するとともに該ネイルスタンプ５を上記回転盤３上と載置部８上との間を移動させるアーム部材７とを配置し、上記ネイルスタンプ５は上記アーム部材７に保持させた状態でスタンプ部３０を下方に突出させて爪にネイルアート画を転写できるようにし、アーム部材７を回転盤３上に回動移動させたとき、該回転盤３の上面に接地して回転盤３の上面を拭うへら部材２５を上記アーム部材７の側面に設けた。【選択図】図１
0003105503.tif 000002
【実用新案登録請求の範囲】
【請求項１】
以下の要件を備えることを特徴とするネイルスタンプ玩具。
（イ）基台の上面には、指先若しくは付け爪を載置する載置部と、複数のネイルアート画が刻印されるとともに回動可能に配置された回転盤と、先端部でネイルスタンプを着脱可能に保持するとともに該ネイルスタンプを上記回転盤上と載置部上との間を移動させるアーム部材とが配置され、上記アーム部材は後端部が上記基台上に軸支されて水平方向に回動可能に配置されていること
（ロ）上記ネイルスタンプは弾性を有し且つネイルアート画上に塗布したインクを吸着できる程度の粘着性を有するスタンプ部を有し、上記アーム部材に保持させた状態でスタンプ部を下方に突出させることができるようになっていること
（ハ）上記アーム部材には、該アーム部材を回転盤上に回動移動させたとき、該回転盤の上面に接地して回転盤上を拭うへら部材を設け、該へら部材は上記アーム部材の側面に配置されてネイルスタンプと同一軌道を描いて移動すること
【請求項２】
以下の要件を備えることを特徴とする請求項１記載のネイルスタンプ玩具
（イ）前記アーム部材は、前記回転盤から前記戴置部に向けて移動するにつれて、若干上昇するように構成されること
（ロ）前記アーム部材を載置部側に回動させて前記へら部材を上記回転盤から外し、かつアーム部材が上昇したとき、上記へら部材は上記アーム部材に対し縦方向に回動できるようになっていること
【請求項３】
前記載置部は爪用の第１の載置部と付け爪用の第２の載置部とからなり、上記第２の載置部はスライド移動可能に配置するとともに、爪若しくは付け爪に対応して選択的にスライド移動させる、請求項１または２記載のネイルスタンプ玩具。
【考案の詳細な説明】
【技術分野】
【０００１】
本考案は、ネイルスタンプ玩具、詳しくは簡単な操作で指にマニキュアを塗布することができるネイルスタンプ玩具に関するものである。
【背景技術】
【０００２】
従来、爪に模様をペンや筆で直接描くネイルアートというものが女性の関心を呼び、様々な方法でネイルアートが行なわれているが、細かい作業の苦手な人には自分で模様を描くことが難しかったため、簡単にネイルアートができるネイルアート用スタンプ装置が提案されている（例えば、特許文献１）。
【０００３】
この装置は、上面に指を載せて位置決めするための凹部が形成されたスタンプ台と、この凹部で位置決めされた指の爪にスタンプ部を圧接させることにより爪にネイルアート画を転写するスタンプ本体と、スタンプ部が爪に正しく対応させるためのガイド枠をスタンプ台にもうけたもので、紙等にスタンプするように、自分の手で自分の爪にネイルアートを簡単に施すことができるようにしたものである。
【特許文献１】特開２００２−５１８２９号公報
【考案の開示】
【考案が解決しようとする課題】
【０００４】
本考案が解決しようとする問題点は、上述のスタンプ本体は、スタンプベースと、スタンプベースに着脱自在なスタンプ部とから構成され、スタンプ部はスポンジ等のクッション材を介して、ゴム等で形成されたスタンプ面材が張り付けられたもので、このスタンプ面材にはネイルアート画を爪に転写するための「版」が形成されているものであり、ネイルアート画を変える場合はスタンプ部を付け替えなければならない点であった。
【０００５】
本考案は、上記問題点を解決し、爪に転写するネイルアート画を自由に選択でき、簡単な操作で実際の爪や付け爪にネイルアート画を転写することができるネイルスタンプ玩具を提供することを課題とする。
【課題を解決するための手段】
【０００６】
前記課題を解決するために本考案に係るネイルスタンプ玩具は、以下の要件を備えることを特徴とする。
（イ）基台の上面には、指先若しくは付け爪を載置する載置部と、複数のネイルアート画が刻印されるとともに回動可能に配置された回転盤と、先端部でネイルスタンプを着脱可能に保持するとともに該ネイルスタンプを上記回転盤上と載置部上との間を移動させるアーム部材とが配置され、上記アーム部材は後端部が上記基台上に軸支されて水平方向に回動可能に配置されていること
（ロ）上記ネイルスタンプは弾性を有し且つネイルアート画上に塗布したインクを吸着できる程度の粘着性を有するスタンプ部を有し、上記アーム部材に保持させた状態でスタンプ部を下方に突出させることができるようになっていること
（ハ）上記アーム部材には、該アーム部材を回転盤上に回動移動させたとき、該回転盤の上面に接地して回転盤上を拭うへら部材を設け、該へら部材は上記アーム部材の側面に配置されてネイルスタンプと同一軌道を描いて移動すること
【０００７】
なお、前記ネイルスタンプ玩具は以下の要件を備えることが好ましい。
（イ）前記アーム部材は、前記回転盤から前記戴置部に向けて移動するにつれて、若干上昇するように構成されること
（ロ）前記アーム部材を載置部側に回動させて前記へら部材を上記回転盤から外し、かつアーム部材が上昇したとき、上記へら部材は上記アーム部材に対し縦方向に回動できるようになっていること
【０００８】
また、前記載置部は爪用の第１の載置部と付け爪用の第２の載置部とからなり、上記第２の載置部はスライド移動可能に配置するとともに、爪若しくは付け爪に対応して選択的にスライド移動させ、第２の載置部を使用するか否かで爪にネイルアートを施すか、付け爪にネイルアートを施すかを選択できるようにすればよい。
【考案の効果】
【０００９】
請求項１の考案によれば、好きなネイルアート画を選択でき、アーム部材を回動させてネイルスタンプを押下するだけの簡単な操作で自分の爪にネイルアートを施すことができる。
【００１０】
請求項２の考案によれば、アーム部材を回転盤側に回動させたときにはへら部材の先端が回転盤の上面に確実に接地し、回転盤から外れる位置にアーム部材を回動させたときにはアーム部材が上昇するのでへら部材が基台の上面に接触することなく回すことができ、へら部材の清掃を容易に行うことができる。
【００１１】
請求項３の考案によれば、第２の載置部の使用を選択することにより付け爪の有無に簡単に対応することができる。
【考案を実施するための最良の形態】
【００１２】
基台の上面には、指先若しくは付け爪を載置する載置部と、複数のネイルアート画が刻印されるとともに回動可能に配置された回転盤と、先端部でネイルスタンプを着脱可能に保持するとともに該ネイルスタンプを上記回転盤上と載置部上との間を移動させるアーム部材とを配置し、上記アーム部材を上記基台上に水平方向に回動可能に軸支し、上記ネイルスタンプは弾性を有し且つネイルアート画上に塗布したインクを吸着できる程度の粘着性を有するスタンプ部を有し、上記アーム部材に保持させた状態でスタンプ部を下方に突出させて爪にネイルアート画を転写できるようにし、上記アーム部材には、該アーム部材を回転盤上に回動移動させたとき、該回転盤の上面に接地して回転盤上を拭うへら部材を上記アーム部材の側面に設けネイルスタンプと同一軌道を描いて移動するようにした。
【実施例１】
【００１３】
図１は、本考案に係るネイルスタンプ玩具の一例を示し、このネイルスタンプ玩具は基台１上に複数のネイルアート画ａが刻印された円板２が固定された回転盤３と、支持台４上に左右に回動可能に支持され、先端にネイルスタンプ５を保持する保持部６が形成されたアーム部材７と、指先若しくは付け爪を載置する載置部８とが設けられ、回転盤３上に固定された円板２の刻印に塗布されたインキをネイルスタンプ５で写し取り、載置部８上に載せた指先の爪に円板２上のネイルアート画ａを転写することができるようにしたものである。
【００１４】
回転盤３は、図２に示すように、底面の中心に形成された回転軸１０が基台１上に形成された軸孔１１に回転可能に軸支されるとともに、周面には所定間隔で係合凹部１２が形成され、開口部１３から基台１の上面に突出したストッパー１４の先端１４ａに係合して回転方向の停止位置が一定するようになっている。このストッパー１４はスプリング１５に付勢され、回転盤３の周面に押し付けられるようになっている。
【００１５】
回転盤３の上面には複数のネイルアート画ａが周方向に等間隔に刻印された円板２が固定されている。このネイルアート画ａは花や動物等の絵柄で構成され、円板２上に凹部で形成され、この凹部にインクが充填されるようになっている。
【００１６】
アーム部材７は先端にネイルスタンプ５を保持する筒状の保持部６が形成され、後端の裏面には嵌合凹部２０が形成されるとともに中央底部にはガイド軸２１が下方に突出して形成されている。上記嵌合凹部２０は支持台４上に形成された支軸２２に遊嵌し、ガイド軸２１は支持台４上に形成された円弧状のガイド孔２３にガイドされ、アーム部材７は支軸２２を中心にガイド孔２３の分だけ回動できるようになっており、ガイド孔２３の一端側では、図３（ａ）に示すように、ネイルスタンプ５が回転盤３上のネイルアート画ａの一つに対応する位置にあり、他端側では、図３（ｂ）に示すように、指先を載置する載置部８に対応する位置に移動させることができるようになっている。
【００１７】
なお、上記アーム部材７のガイド軸２１の下端にはガイド孔２３の裏側からスプリング２４が２枚のワッシャーに挟まれてネジ止めされ、常にスプリング２４に付勢されてアーム部材７が支持台４の上面に圧接しながら回動できるようになっている。
【００１８】
そして、上記アーム部材７の前部側面にはへら部材２５が取り付けてある。このへら部材２５は下端２５ａが肉薄に形成された樹脂製の板部材で、アーム部材７の側面に形成された支軸２６に回動可能にネジ止めされ、アーム部材７を回転盤３側に回動させたときにはへら部材２５の先端２５ａが円板２上を拭いながら移動し、円板２上に載せたインクがネイルアート画ａの刻印に満たすとともに余分なインクをネイルアート画ａ上から排除するようになっているものである。
【００１９】
なお、アーム部材７を載置部８側に回動させてへら部材２５が回転盤３から外れたとき、アーム部材７が若干上昇するように支持台４にはスロープ４ａが形成されている。
【００２０】
上記へら部材２５は、アーム部材７を回転盤３から外れた位置まで回動移動させると垂直方向に１８０度回転させることができ、へら部材２５の先端２５ａに付着したインクを清掃できるようになっている。このとき、アーム部材７は上記スロープ４ａで上昇しているのでへら部材２５の先端２５ａは基台１の上面に接触することなく回転させることができる。
【００２１】
載置部８は指先を載置する第１の載置部９と、付け爪を載置する第２の載置部２７とからなり、第１の載置部９は湾曲した凹部で形成され、基台１の回転盤３と対称の位置で、上記アーム部材７をガイド孔２３の他端側に最大限回動させたとき、ネイルスタンプ５の下方に爪ｂが位置する場所に形成されている。この第１の載置部９には爪に付けた付け爪にネイルアート画ａを転写するために、付け爪用の第２の載置部である載置板２７が配置されている。この載置板２７は第１の載置部９にスライド移動可能に配置され、実際の爪ｂにネイルアートを施すときはネイルスタンプ５に対応しない位置に退避させ（図４（ａ）参照）、付け爪ｃにネイルアートを施すときは摘み２８を左に動かして載置板２７をネイルスタンプ５に対応する位置に移動させ（図４（ｂ）参照）、付け爪ｃを下から支えることができるようになっている。
【００２２】
なお、図２において、符号２９は、使用しないネイルスタンプ５を差しておく保持部を示す。
【００２３】
ネイルスタンプ５は、図５に示すように、弾性を有し且つネイルアート画上に塗布したインクを吸着できる程度の粘着性を有するシリコンゴムなどからなるスタンプ部３０を嵌め合わせるホルダー３１が支持枠３２の真ん中を貫通する押圧部材３３の軸部３４の先端にネジ３５で固定され、支持枠３２に対して押圧部材３３と一体で上下動できるように連結されたもので、押圧部材３３は支持枠３２に対しスプリング３６で常に上動するように付勢され、支持枠３２に対しホルダー３１とスタンプ部３０とが上動するように付勢されている。なお、支持枠３２の上端には鍔部３７が周設され、この鍔部３７が上述のアーム部材７の保持部６の上端に当接して、保持部６に保持されるようになっている（図６（ａ）参照）。
【００２４】
次に、上記構成のネイルスタンプ５玩具の使用態様について説明する。
【００２５】
まず、図１に示すように、アーム部材７の保持部６にネイルスタンプ５をセットする。次に、アーム部材７を左に回動してネイルスタンプ５を回転盤３上から退避させる。そして、回転盤３を回転させて爪ｂに転写するネイルアート画ａを選択し、回転盤３がストッパー１４で確実に止まる位置まで回転させる。回転盤３がストッパー１４に係合したとき、円板２上のネイルアート画ａの何れかは、アーム部材７を回転盤３側に回動移動させたとき、スタンプ部３０の下方に位置するようになっている。
【００２６】
ネイルアート画ａを選択したら、インクチューブからインクをネイルアート画ａ上に押し出す。ネイルアート画ａ上のインクを均一に刻印に馴染ませるために、アーム部材７を回転盤３側に回動移動させる。アーム部材７に取り付けられたへら部材２５が円板２上を撫ぜるように移動するので、インクは均等に伸ばされるとともに刻印内に充填され、余ったインクはへら部材２５で選択したネイルアート画ａから外れた位置に移動させられる。
【００２７】
刻印上の余計なインクは排除されているので、アーム部材７を最大限回転盤３側に回動移動させ、ネイルスタンプ５の押圧部をスプリング３６に抗して押し下げる。押圧部材３３に一体のホルダー３１が下降し、スタンプ部３０が円板２に押し付けられる。円板２にスタンプ部３０が押し付けられると円板２の刻印内のインクはスタンプ部３０に吸着して円板２からスタンプ部３０に移転する。
【００２８】
次に、載置部に爪が上側になるように指の先を載せ、アーム部材７を載置部側に最大限回動移動させる。この状態ではスタンプ部３０が爪ｂの上方に位置しているので、ネイルスタンプ５の押圧部材３３をスプリング３６に抗して押し下げる。押圧部材３３と一体のホルダー３１が下降し、図６（ｂ）に示すように、スタンプ部３０が指先の爪ｂに押し付けられるので、スタンプ部３０のインクは爪ｂに転写される。
【００２９】
上述の操作を繰り返し行い他の指の爪に順次ネイルアート画ａを転写すればよい。
【００３０】
なお、他の色でネイルアート画ａを爪に転写する場合は、色が混ざってしまうので、円板２上のインクを拭い取るとともに、へら部材２５を１８０度回転させて先端２５ａを上にして同じようにインクを拭い取ればよい。
【００３１】
次に、付け爪ｃにネイルアートを施す場合は、摘み２８を左に移動させて載置板２７を第１の載置部９上に移動し、図４（ｂ）に示すように、付け爪ｃを載置板２７に載せた状態でネイルスタンプ５を押し下げればよい。付け爪ｃがスタンプ部３０の下方に位置しているので、付け爪ｃにネイルアート画ａが転写することができる。このとき、付け爪ｃは載置板２７に載っているのでスタンプ部３０で強く押されても、付け爪ｃが指先の爪ｂから外れるような事がなく確実にネイルアート画ａを付け爪ｃに転写することができる。
【図面の簡単な説明】
【００３２】
【図１】本考案にかかるネイルスタンプ玩具の斜視図
【図２】上記ネイルスタンプ玩具の分解斜視図
【図３】（ａ）（ｂ）は、スタンプとネイルアート画およびスタンプと載置部との位置関係を説明する平面図
【図４】（ａ）（ｂ）は、載置部における実際の爪と付け爪との関係を説明する平面図
【図５】ネイルスタンプの構造を説明する分解斜視図
【図６】（ａ）（ｂ）は、上記ネイルスタンプの構造および使用状態を説明する要部を切断した側面図
【符号の説明】
【００３３】
１    基台
３    回転盤
５    ネイルスタンプ
７    アーム部材
８    載置部
２５    へら部材
３０    スタンプ部
ａ    ネイルアート画
ｂ    爪
ｃ    付け爪
【図１】
0003105503.tif 000003
【図２】
0003105503.tif 000004
【図３】
0003105503.tif 000005
【図４】
0003105503.tif 000006
【図５】
0003105503.tif 000007
【図６】
0003105503.tif 000008